(57)【要約】      （修正有）【課題】セルラーネットワークマルチメディア配信システムにおけるブラックアウト、チューニング変更、及びローミング実施のための方法を提供する。【解決手段】セルラーネットワークマルチメディア配信システムにおいて複数のサービス領域を受信することと、前記複数のサービス領域のうちの１つのサービス領域へのクライアントの加入の決定することと、前記加入に基づいて、サービス領域特有のメッセージを処理することとの各動作を含む。プロセッサによって実行された場合、前記プロセッサに前記方法を実行させる命令を格納したコンピュータ読取可能媒体と同様に、装置もまた開示される。【選択図】図４
2011138520.tif 000002
【特許請求の範囲】
【請求項１】
セルラーネットワークマルチメディア配信システムにおけるブラックアウト、チューニング変更、及び加入実施のための方法であって、
前記セルラーネットワークマルチメディア配信システムにおける複数のサービス領域を定義することと、
前記複数のサービス領域のうちの１つのサービス領域への、少なくとも１つのクライアントの加入を決定することと、
前記少なくとも１つの加入に基づいて、少なくとも１つのサービス領域特有メッセージを処理することとを備える方法。
【請求項２】
請求項１に記載の方法において、前記複数のサービス領域を定義する動作は、それぞれが閉じた形状を有する複数の地理的領域を生成することを備える方法。
【請求項３】
請求項２に記載の方法において、前記閉じた形状は幾何学的形状である方法。
【請求項４】
請求項２に記載の方法において、領域は、メディアサービスを含む受信信号の特性によって決定される方法。
【請求項５】
請求項１に記載の方法において、前記複数のサービス領域は隣接する方法。
【請求項６】
請求項１に記載の方法において、前記複数のサービス領域はオーバーラップする方法。
【請求項７】
請求項１に記載の方法において、前記複数のサービス領域のうちの１つのサービス領域への、少なくとも１つのクライアントの加入を決定する動作は、前記クライアントのおおよその地理的位置を決定する動作を備える方法。
【請求項８】
請求項７に記載の方法において、前記クライアントの地理的位置を決定する動作は、前記クライアントのＧＰＳ座標を決定する動作を備える方法。
【請求項９】
請求項１に記載の方法において、前記少なくとも１つのサービス領域特有メッセージは、チューニング変更、ブラックアウト、及び利用可能な加入からなるグループから選択されるイベントを規定する少なくとも１つのメッセージを備える方法。
【請求項１０】
請求項１に記載の方法において、前記複数のサービス領域のうちの１つのサービス領域への、少なくとも１つのクライアントの加入を決定する動作は、前記クライアントと前記サービス領域との間のコンタクトを決定する動作を備える方法。
【請求項１１】
請求項１０に記載の方法において、前記クライアントと前記サービス領域との間のコンタクトを決定する動作は、前記クライアントと、ローカルエリア動作インフラストラクチャとの間の通信を検出する動作を備える方法。
【請求項１２】
請求項１１に記載の方法において、前記複数のサービス領域のうちの１つは、前記ローカルエリア動作インフラストラクチャの受信地域によって規定される方法。
【請求項１３】
請求項１１に記載の方法において、前記クライアントと、ローカルエリア動作インフラストラクチャとの間の通信は、予め定めた時間期間の間に検出される方法。
【請求項１４】
請求項１に記載の方法において更に、無線ネットワークを、前記複数のサービス領域のうちの少なくとも１つに関連付ける動作を備える方法。
【請求項１５】
請求項１４に記載の方法において、前記無線ネットワークを、前記複数のサービス領域のうちの少なくとも１つに関連付ける動作は、基地トランシーバシステムのセットを、前記複数のサービス領域のうちの少なくとも１つに関連付ける動作を備える方法。
【請求項１６】
請求項１に記載の方法において、前記複数のサービス領域のうちの１つのサービス領域への、前記クライアントの加入を決定する動作は、
基地トランシーバシステムを検出することと、
前記基地トランシーバシステムが、加入されたサービス領域内の有効な基地トランシーバシステムであるかを判定することとを備える方法。
【請求項１７】
請求項１６に記載の方法において、前記基地トランシーバシステムを検出する動作は、前記基地トランシーバシステムからパイロットを検出するステップを備える方法。
【請求項１８】
請求項１に記載の方法において、前記複数のサービス領域のうちの１つのサービス領域への、前記クライアントの加入を決定する動作は、複数の基地トランシーバシステムの複数のパイロットの相対強度及びレベルを決定する動作を備える方法。
【請求項１９】
格納された命令を有するコンピュータ読取可能媒体であって、前記格納された命令は、プロセッサによって実行された場合、 前記プロセッサに、セルラーネットワークマルチメディア配信システムにおけるブラックアウト、チューニング変更、及び加入実施のための方法を実行させ、前記方法は、
前記セルラーネットワークマルチメディア配信システムにおける複数のサービス領域を受信することと、
前記複数のサービス領域のうちの１つのサービス領域へのクライアントの加入を決定することと、
前記加入に基づいて、サービス領域特有メッセージを処理することとを備えたコンピュータ読取可能媒体。
【請求項２０】
請求項１９に記載のコンピュータ読取可能媒体において、前記複数のサービス領域を受信する動作は、それぞれが閉じた形状を有する複数の地理的領域を生成する動作を備えるコンピュータ読取可能媒体。
【請求項２１】
請求項２０に記載のコンピュータ読取可能媒体において、前記閉じた形状は幾何学的形状であるコンピュータ読取可能媒体。
【請求項２２】
請求項１９に記載のコンピュータ読取可能媒体において、前記複数のサービス領域は隣接しているコンピュータ読取可能媒体。
【請求項２３】
請求項１９に記載のコンピュータ読取可能媒体において、前記複数のサービス領域はオーバーラップするコンピュータ読取可能媒体。
【請求項２４】
請求項１９に記載のコンピュータ読取可能媒体において、前記複数のサービス領域のうちの１つのサービス領域への、前記クライアントの加入を決定する動作は、前記クライアントの地理的位置を決定する動作を備えるコンピュータ読取可能媒体。
【請求項２５】
請求項２４に記載のコンピュータ読取可能媒体において、前記クライアントの地理的位置を決定する動作は、前記クライアントのＧＰＳ座標を決定する動作を備えるコンピュータ読取可能媒体。
【請求項２６】
請求項１９に記載のコンピュータ読取可能媒体において、前記サービス領域特有メッセージは、ローミングメッセージ、チューニング変更メッセージ、及びブラックアウトメッセージからなるグループから選択される１つのメッセージを備えるコンピュータ読取可能媒体。
【請求項２７】
請求項１９に記載のコンピュータ読取可能媒体において、前記複数のサービス領域のうちの１つのサービス領域への、前記クライアントの加入を決定する動作は、前記クライアントと前記サービス領域との間のコンタクトを決定する動作を備えるコンピュータ読取可能媒体。
【請求項２８】
請求項２７に記載のコンピュータ読取可能媒体において、前記クライアントと前記サービス領域との間のコンタクトを決定する動作は、前記クライアントと、ローカルエリア動作インフラストラクチャとの間の通信を検出する動作を備えるコンピュータ読取可能媒体。
【請求項２９】
請求項２８に記載のコンピュータ読取可能媒体において、前記複数のサービス領域のうちの１つは、前記ローカルエリア動作インフラストラクチャの受信地域によって規定されるコンピュータ読取可能媒体。
【請求項３０】
請求項２８に記載のコンピュータ読取可能媒体において、前記クライアントと、ローカルエリア動作インフラストラクチャとの間の通信は、予め定めた時間期間の間に検出されるコンピュータ読取可能媒体。
【請求項３１】
請求項１９に記載のコンピュータ読取可能媒体において、前記方法は更に、無線ネットワークを、前記複数のサービス領域のうちの少なくとも１つに関連付けることを備えるコンピュータ読取可能媒体。
【請求項３２】
請求項３１に記載のコンピュータ読取可能媒体において、前記無線ネットワークを、前記複数のサービス領域のうちの少なくとも１つに関連付ける動作は、基地トランシーバシステムのセットを、前記複数のサービス領域のうちの少なくとも１つに関連付ける動作を備えるコンピュータ読取可能媒体。
【請求項３３】
請求項１９に記載のコンピュータ読取可能媒体において、前記複数のサービス領域のうちの１つのサービス領域への、前記クライアントの加入を決定する動作は、
基地トランシーバシステムを検出することと、
前記基地トランシーバシステムが、加入されたサービス領域内の有効な基地トランシーバシステムであるかを判定することとを備えるコンピュータ読取可能媒体。
【請求項３４】
請求項３３に記載のコンピュータ読取可能媒体において、前記基地トランシーバシステムを検出する動作は、前記基地トランシーバシステムからパイロットを検出する動作を備えるコンピュータ読取可能媒体。
【請求項３５】
請求項１９に記載のコンピュータ読取可能媒体において、前記複数のサービス領域のうちの１つのサービス領域への、前記クライアントの加入を決定する動作は、複数の基地トランシーバシステムの複数のパイロットの相対強度及びレベルを決定する動作を備えるコンピュータ読取可能媒体。
【請求項３６】
セルラーネットワークマルチメディア配信システムにおけるブラックアウト、チューニング変更、及びローミング実施のための装置であって、
前記セルラーネットワークマルチメディア配信システムにおける複数のサービス領域を受信する手段と、
前記複数のサービス領域のうちの１つのサービス領域への、クライアントの加入を決定する手段と、
前記加入に基づいて、サービス領域特有メッセージを処理する手段とを備える装置。
【請求項３７】
請求項３６に記載の装置において、前記複数のサービス領域を受信する手段は、それぞれが閉じた形状を有する複数の地理的領域を生成する手段を備える装置。
【請求項３８】
請求項３７に記載の装置において、前記閉じた形状は幾何学的形状である装置。
【請求項３９】
請求項３６に記載の装置において、前記複数のサービス領域は隣接する装置。
【請求項４０】
請求項３６に記載の装置において、前記複数のサービス領域はオーバーラップする装置。
【請求項４１】
請求項３６に記載の装置において、前記複数のサービス領域のうちの１つのサービス領域への、前記クライアントの加入を決定する手段は、前記クライアントの地理的位置を決定する手段を備える装置。
【請求項４２】
請求項４１に記載の装置において、前記クライアントの地理的位置を決定する手段は、前記クライアントのＧＰＳ座標を決定する手段を備える装置。
【請求項４３】
請求項３６に記載の装置において、前記サービス領域特有メッセージは、ローミングメッセージ、チューニング変更メッセージ、及びブラックアウトメッセージからなるグループから選択される１つのメッセージを備える装置。
【請求項４４】
請求項３６に記載の装置において、前記複数のサービス領域のうちの１つのサービス領域への、前記クライアントの加入を決定する手段は、前記クライアントと前記サービス領域との間のコンタクトを決定する手段を備える装置。
【請求項４５】
請求項４４に記載の装置において、前記クライアントと前記サービス領域との間のコンタクトを決定する手段は、前記クライアントと、ローカルエリア動作インフラストラクチャとの間の通信を検出する手段を備える装置。
【請求項４６】
請求項４５に記載の装置において、前記複数のサービス領域のうちの１つは、前記ローカルエリア動作インフラストラクチャの受信地域によって規定される装置。
【請求項４７】
請求項４５に記載の装置において、前記クライアントと、ローカルエリア動作インフラストラクチャとの間の通信は、予め定めた時間期間の間に検出される装置。
【請求項４８】
請求項３６に記載の装置において、無線ネットワークを、前記複数のサービス領域のうちの少なくとも１つに関連付ける手段を更に備えた装置。
【請求項４９】
請求項４８に記載の装置において、前記無線ネットワークを、前記複数のサービス領域のうちの少なくとも１つに関連付ける手段は、基地トランシーバシステムのセットを、前記複数のサービス領域のうちの少なくとも１つに関連付ける手段を備える装置。
【請求項５０】
請求項３６に記載の装置において、前記複数のサービス領域のうちの１つのサービス領域への、前記クライアントの加入を決定する手段は、
基地トランシーバシステムを検出する手段と、
前記基地トランシーバシステムが、加入されたサービス領域内の有効な基地トランシーバシステムであるかを判定する手段とを備える装置。
【請求項５１】
請求項５０に記載の装置において、前記基地トランシーバシステムを検出する手段は、前記基地トランシーバシステムからパイロットを検出する手段を備える装置。
【請求項５２】
請求項３６に記載の装置において、前記複数のサービス領域のうちの１つのサービス領域への、前記クライアントの加入を決定する手段は、複数の基地トランシーバシステムの複数のパイロットの相対強度及びレベルを決定する手段を備える装置。
【請求項５３】
セルラーネットワークマルチメディア配信システムにおいて複数のサービス領域を定義する方法を実施するように構成された少なくとも１つのプロセッサであって、前記方法は、
前記セルラーネットワークマルチメディア配信システムにおける複数のサービス領域を定義することと、
前記複数のサービス領域のうちの１つのサービス領域への、少なくとも１つのクライアントの加入を決定することと、
前記少なくとも１つの加入に基づいて、少なくとも１つのサービス領域特有メッセージを処理することとを備える少なくとも１つのプロセッサ。
【発明の詳細な説明】
【技術分野】
【０００１】
本発明は、一般に、クライアントのメディア配信システムへの加入を判定することに関し、特に、ブラックアウト及びチューニング変更の実施と、システム内におけるクライアントへのローミング課金の実施とをサポートするメディアブロードキャストシステムにおける方法及び装置に関する。
【背景技術】
【０００２】
３Ｇ及びその他のセルラーネットワークが展開され、新たなＩＰパケットデータをベースとしたサービスが出現している。オペレータが活用しようと努力している最も挑戦的なサービス領域のうちの１つは、大衆市場へのビデオコンテンツの配信を含む。高品質ビデオは、最もメモリを使用する（data-intensive）タイプのコンテンツである。同時に、現在、家庭視聴オプションを持つ消費者経験は、オペレータ及びコンテンツプロバイダに対して、ユーザ経験であるべきことについて確立されたアイデアを持つターゲット市場を提起する。消費者期待と流動性（mobility）とが相まって、ネットワークオペレータとコンテンツプロバイダに根本的な挑戦を提示する。要約すると、魅力的なビジネスモデル、ネットワーク制御及び管理、アクセス制御、デバイス機能、及び説得力のあるユーザ経験が組み合わさって、無線業界で完全には解決されていない相互依存のチャレンジの複合体を示す。
【０００３】
現在、ライブイベントプログラムを提供するＥＳＰＮのような全国的なケーブルプログラマは、通常はそのチームのホームマーケットに関連付けられたブラックアウト領域を定義する契約に従うことがある。このような地理的領域では、試合の版権は、地域のネットワーク、アドホックネットワーク、又はペイパービュー方式サービスに販売されているかもしれない。これら契約上の義務をサポートするために、ケーブルプログラマは、ブラックアウトの間に代替プログラムを提供する。ケーブルヘッドエンドにおける衛星受信機は、代替プログラムを利用可能にする。プログラマは、ケーブルプログラマのヘッドエンドからの帯域内プロトコルを用い、チューニング変更処理を制御する。
【０００４】
ブラックアウトは、特定サービスの全国的なプログラム配信から除外される地理的領域について、全国的なプログラムを除外することを称する。フィードは、特定チャネルの多重通信（multiplex）を指す。この定義の下では、広域動作インフラストラクチャ（ＷＯＩ：wide area operation infrastructure）が、特定の地理的領域をサポートする多数の「フィード」を作成しうる。チューニング変更フィードは、ブラックアウト領域のための代替プログラミングを含んでいる。全国的なメディアブロードキャストサービスは、単一の形式で国の大部分に配信されるＣＮＮ及び／又はＥＳＰＮのような広域サービスの利用に基づく。これによって、隣接するサービス領域の信号受信地域のオーバーラップが、構造的に加わってしまう。この特徴が適切に機能するための必要条件は、「全国的な」プログラミングが、隣接した全てのサービス領域から送信されたように、物理層において正確なビット及びシンボルであるということである。これは、復号されるプログラムキー及びキーストリームが一致することを要求する。
【０００５】
しかしながら、チューニング変更イベントの存在は、もはやサービスを広域フィードと一致させない。これは、チューニング変更されるサービスの特性が、よりローカルなフィードに類似するように変更する。ローカルフィードは、定義によれば、隣接したローカルエリア動作インフラストラクチャ（ＬＯＩ：local area operation infrastructure）サービス領域において異なり、他のＬＯＩサービス領域からのローカルプログラミングと干渉する。これら「ローカルサービス」は、恐らくは独立したプログラムキー及びキーストリームを持つだろう。
【０００６】
ＬＯＩのための装置及び方法は、指定された単一のマーケット領域をサポートするために必要とされる機器及びソフトウェアの集合である。衛星チューニング変更システムの位置制御は、極めて精密でありうる（例えば、１つのジップコード）。メディアブロードキャストシステムは、ＬＯＩベースでＬＯＩ上で動作することが期待される。名目上、ＬＯＩは市場毎であるので、ケーブルプログラマに受け入れられるかもしれない。
【０００７】
加入（affiliation）とは、クライアントが、ＬＯＩに加入した個々のＬＯＩの受信地域内又はほぼ受信地域内にいる場合である。「ホーム」ＬＯＩは、各クライアントが、その基地ＬＯＩとして定義される単一のＬＯＩを持つ場所である。「ホーム」ＬＯＩは、名目上は、エリアコードの物理的位置、又はクライアントの請求先アドレスにリンクされている。
【０００８】
広告置換、ブラックアウト及びチューニング変更（代用）プログラミング、及び加入は全て、位置に依存するサービス特質である。これらのメカニズムのうちの１つが申し込むサービスエリアにクライアントが存在する場合、影響が与えられる。例えば、クライアントがホームＬＯＩの外にいる場合、サービスは停止されるかもしれない。あるいは、追加申込が必要となる。しかしながら、クライアントがいつホームＬＯＩの「外」にあるかの判定は、重要な問題である。
【０００９】
望ましいことは、メディアブロードキャストシステムにおいて、クライアントのためのブラックアウト及びチューニング変更の実施、及び加入制限の実施をサポートするための方法、装置、及びシステムである。
【発明の概要】
【００１０】
本特許出願は、その譲受人に譲渡され、本明細書に参照によって明確に組み込まれている２００４年５月３日に出願され、"MEDIAFLO LOI AFFILIATION AND ROAMING ENFORCEMENT METHODS"と題された米国仮出願６０／５６８，０５３号、及び２００５年３月２２日に出願され、"METHOD AND APPARATUS FOR BLACKOUT, RETUNE AND ROAMING ENFORCEMENT IN A CELLULAR NETWORK MULTIMEDIA DISTRIBUTION SYSTEM"と題された米国仮出願６０／６６４，４５３号の優先権を主張する。
【００１１】
開示された実施形態は、メディアブロードキャストシステムにおいて、クライアントのためのブラックアウト、チューニング変更、及び加入の実施をサポートする方法、装置、及びシステムを提供する。
【００１２】
一実施形態では、セルラーネットワークマルチメディア配信システムにおけるブラックアウト、チューニング変更、及び加入実施のための方法が開示される。この方法は、セルラーネットワークマルチメディア配信システムにおける複数のサービス領域を定義することと、前記複数のサービス領域のうちの１つのサービス領域への、少なくとも１つのクライアントの加入を判定することと、前記少なくとも１つの加入に基づいて、少なくとも１つのサービス領域特有のメッセージを処理することとの各動作を含む。
【００１３】
別の実施形態では、格納された命令を有するコンピュータ読取可能媒体であって、前記格納された命令は、プロセッサによって実行された場合、プロセッサに、セルラーネットワークマルチメディア配信システムにおけるブラックアウト、チューニング変更、及び加入実施のための方法を実行させるコンピュータ読取可能媒体が開示される。この方法は、セルラーネットワークマルチメディア配信システムにおける複数のサービス領域を定義することと、前記複数のサービス領域のうちの１つのサービス領域への、少なくとも１つのクライアントの加入を判定することと、前記少なくとも１つの加入に基づいて、少なくとも１つのサービス領域特有のメッセージを処理することとの各動作を含む。
【００１４】
また別の実施形態では、セルラーネットワークマルチメディア配信システムにおけるブラックアウト、チューニング変更、及び加入実施のための装置が開示される。この装置は、セルラーネットワークマルチメディア配信システムにおける複数のサービス領域を定義する手段と、前記複数のサービス領域のうちの１つのサービス領域への、少なくとも１つのクライアントの加入を判定する手段と、前記少なくとも１つの加入に基づいて、少なくとも１つのサービス領域特有のメッセージを処理する手段とを含む。
【００１５】
示された実施形態の他の目的、特徴、及び利点は、以下の詳細説明から、当該技術の熟練者に明白になるだろう。しかしながら、詳細説明および具体例は、本発明の好適な実施形態を示す一方、限定するのではなく、一例として与えられると理解されるべきである。
【図面の簡単な説明】
【００１６】
【図１】図１は、全地球測位システムに基づいて、一実施形態に従って構成されたサービス領域へのクライアント加入の図である。
【図２】図２は、ローカルエリア動作インフラストラクチャ（ＬＯＩ）とのコンタクトに基づいて、別の実施形態に従って構成されたサービス領域へのクライアント加入の図である。
【図３】図３は、無線ネットワークに基づいて、更に別の実施形態に従って構成されたサービス領域へのクライアント加入の図である；
【図４】図４は、一実施形態に従った加入方法のフローチャートである。
【図５】図５は、アクセスポイントおよびアクセス端末のブロック図を示す。
【発明を実施するための形態】
【００１７】
本発明は、添付図面を参照することによってより容易に理解されうる。
【００１８】
同一符号は、図面のいくつかの観点を通じて同一部分を示す。
【００１９】
開示された実施形態は、特定のローカルエリア動作インフラストラクチャ（ＬＯＩ）又は広域動作インフラストラクチャ（ＷＯＩ）に加入したクライアントのためのブラックアウト、チューニング変更、及び領域特有の加入の実施のために提供する。一実施形態では、この実施は、サービス領域（例えば、ＬＯＩ又はＷＯＩ）に加入しているクライアントに基づく。ここでサービス領域は、全地球測位システム（ＧＰＳ）によって定義される。別の実施形態では、この実施は、サービス領域とのコンタクトに基づいたサービス領域に加入しているクライアントに基づく。また別の実施形態では、この実施は、無線ネットワークに基づいて、サービス領域に加入しているクライアントに基づく。
【００２０】
図１は、ＬＯＩ  １０４、ＬＯＩ  １０６及びＬＯＩ  １０８を含み、ＧＰＳによって定義された複数のサービス領域を有するＧＰＳクライアント加入システム１００を例示する。ここでクライアント１０２は、ＬＯＩのサービス領域を定義する各ＬＯＩから、閉じた幾何学的形状の地理座標を受信する。一実施形態では、クライアント１０２が、現在定義された形状内にある場合、その領域のためのブラックアウト、チューニング変更、及び制限を受ける。クライアント１０２が、特定のＬＯＩのための定義された形状の外にある場合、ブラックアウト、チューニング変更、及び制約は実施されない。別の実施形態では、クライアント１０２が、ＬＯＩの定義された形状の外にいる場合、領域の加入料金が加わる。ＧＰＳベースのシステムを用いることによって、物理的な受信地域にわたった正確な制御が与えられる。図１に示すように、ＬＯＩ  １０４及びＬＯＩ  １０６は多角形であり、ＬＯＩ  １０４は五角形、ＬＯＩ  １０６は六角形である。別の実施形態では、サービス領域は、他の多角形、あるいは円または楕円形のような他の幾何学的形状かもしれない。また別の実施形態では、サービス領域は、ＬＯＩ  １０８のような非幾何学的形状かもしれない。クライアント１０２上に格納された地理座標のデータベースは、ＬＯＩの形状の変化を反映するために周期的にあるいは時々更新されうる。ここに記載されたケースの各々では、ＬＯＩによってカバーされた領域は隣接する必要も、オーバーラップする必要もないことが注目されるべきである。
【００２１】
しかしながら、ＧＰＳ受信は、全ての受信地域に対しては保証されないかもしれない。例えば、ＧＰＳ信号は、外部アンテナの無い自動車内では高い信頼性で受信することができない。一実施形態では、クライアント１０２が契約を履行する位置をＧＰＳに依存する場合、ＧＰＳ信号を受信していない場合、クライアント１０２はシャットダウンするかもしれない。別の実施形態では、ＧＰＳ信号を受信していない場合、クライアント１０２は別の加入モードに切り替わるだろう。
【００２２】
各ＬＯＩのサービスエリアの座標を定義し、クライアントに通信することは、システム１００に対してある複雑さを加えるが、契約権に依存する単一のＬＯＩ内の複数のサービスエリアのためのサポートを有する可能性がある。したがって、ＧＰＳ機能がシステム内に存在することを顧客が知っている場合、顧客は、サポートが完全に位置に基づき、特定のＬＯＩとは無関係であることを要求するかもしれない。例えば、単一のＬＯＩ内の複数の同時ブラックアウトの可能性は、ＬＯＩに関する形状ではなく、むしろ、顧客が、ブラックアウトに関する特定の形状をサポートしてくれるようにシステムに依頼することになる。
【００２３】
ＧＰＳが存在しても、適切な機能のために必要とするメッセージを受信していることをクライアント１０２が保証しないことが注目されるべきである。例えば、クライアント１０２が、チューニング変更プログラムを受信するためのチューニング変更メッセージをシステム１００から受信しなければ、この機能を実行しないだろう。一実施形態では、クライアント１０２は、ブラックアウトメッセージ及びチューニング変更メッセージを格納し、検出された位置およびタイムスタンプに基づいて適切な機能を実行しうる。更に、クライアント１０２は、検出された位置を格納及び報告し、システム１００からメッセージを受信することと独立して動作しうる。例えば、クライアント１０２は、サービスエリアの形状の知識に基づいて、ホームＬＯＩの外にいる場合、ローミングしていることに気付き、システム１００と通信することができる間、その用途を報告しうる。したがって、クライアント１０２は、一旦サービスエリアの形状を受信し、ＧＰＳ信号を受信できるのであれば、メッセージを連続的に送受信することなく、自立的に動作するかもしれない。
【００２４】
図２は、サービス領域がＬＯＩ  ２０４及びＬＯＩ  ２０６を含み、クライアント２０２の加入がＬＯＩとのコンタクトによって定義されるシステム２００を例示する。一実施形態では、クライアント２０２は、所定の時間に、単一のＬＯＩからローカルメディア及びローカルキーの両方を受信する。なぜなら、物理層に対する搬送波対干渉（Ｃ／Ｉ）要求は、１ビット／Ｈｚスペクトル効率において、恐らくは０ｄＢより大きいからである。ＬＯＩへの通信の存在は、現在のコンタクトにおいて、クライアントがＬＯＩに加入されていることを定義する。一実施形態では、「コンタクトを持っている」ことは、ＬＯＩから受信されるメディアを復号する能力として定義される。別の実施形態では、「コンタクトを持っている」ことは、ＬＯＩに関連付けられた送信機ＩＤを信頼性高く検出する能力を持っていることとして定義される。
【００２５】
コンタクト加入システムは、クライアント２０２のおおよそのデバイス位置を決定するための単純で暗黙の方法を提供する。通信が存在するという事実は、ＬＯＩとの通信を必要とする機能が動作することを意味する。更に、この実施形態では、クライアントが、シングルフィードネットワーク（ＳＦＮ）全国キーと、関連するメディアを受信できると仮定すると、クライアントは、だめだと言われなければ、それを視聴することが許可されたと考えるだろう。しかしながら、ローカルメッセージトラッフィックが抑制される場合、クライアント２０２におけるプログラミングのブラックアウトを回避するために、ハッキングの可能性がある。一実施形態では、この弱点は、ブラックアウトされたＬＯＩにおいて、ブラックアウトされた全国的なフィードメディアを除去することによって、ある程度改善することができる。これは、ＳＦＮ受信地域を弱めるが、ブラックアウトされているマテリアルの不法受信の可能性を低くする。別の実施形態では、キーが削除され、コンテンツが残る。
【００２６】
一実施形態では、ブラックアウトエリア（すなわち、サービス領域）の分解能が、ＬＯＩ受信地域のものに等しく設定される。ＬＯＩ受信地域は、指定されたマーケット領域と名目上同じであると想定される。しかし、これは単なる近似かもしれない。シャドーイングを制御する追加定義された方法が存在しないのであれば、受信地域の端部近傍では、クライアント２０２がシャドーイングによって加入を前後にポップする可能性がある。一実施形態では、特定のＬＯＩとの最後のＸ分にわたるコンタクトの最も大きな割合は、クライアント２０２のための現在の加入としてＬＯＩを定義する。別の実施形態では、クライアント２０２が複数のＬＯＩとのコンタクトの揺れを検出するところで、最後のコンタクトに基づく加入を維持するかもしれない。
【００２７】
図３は、クライアント３０２の加入が無線ネットワーク３０４によって定義されるシステム３００を例示する。第２の無線ネットワーク３０８も示される。システム３００では、クライアント３０２のおおよその位置は、任意の所定時間に見ることができるパイロットによって決定される。従って、図３に示す例では、基地トランシーバシステム（ＢＴＳ）の具体的セット３０６ａ〜ｄは、無線ネットワーク３０４によって示されるサービスエリアを定義する。一方、ＢＴＳの第２のセット３１０ａ〜ｄは、第２の無線ネットワーク３０８によって示されるサービスエリアを定義している。したがって、サービスエリアに存在するＢＴＳのデータベースが保持され、サービスエリアの受信地域内でクライアントに伝えられるかもしれない。上述したように、別の実施形態では、ＬＯＩは、ＢＴＳとは異なる送信機を関連付けうる。また、これら送信機の各々の識別表示（ＩＤ）は異なっており、クライアントは、ＢＴＳの使用とは無関係に、現在加入しているＬＯＩを判定することができる。
【００２８】
無線ネットワーク加入システムは、クライアントの現在のＬＯＩ加入を識別する比較的簡単な手段を提供する。この位置決めアプローチは、ＬＯＩコンタクトシステム２００よりも精密な分解能を持っている。一実施形態では、パイロットのレベル及び相対強度を利用することにより、位置推定値を改善することができる。ＬＯＩとクライアント３０２は、現在のＬＯＩのための現在の有効なＢＴＳ識別子の正確なリストを保持する。無線ネットワーク受信地域は、メディアブロードキャスト受信地域を得るために使用されうる。しかしながら、無線ネットワークとの通信を阻むことがブラックアウトを無効にする場合、一実施形態では、アクティブなブラックアウトを持つ任意のサービスに対する動作も可能にするために、クライアント３０２によって有効なパイロットが検出されねばならない。
【００２９】
一実施形態では、クライアント３０２は、有効なＢＴＳを見つけない場合、有効なＢＴＳの新たなリストを得る。このリストの取得は、ネットワークトラッフィックを引き起こし、潜在的にサービスの開始を遅らせる。アクティブなブラックアウトを持っているかもしれないチャネルは、この処理の間に無効にならなければならない。全国的なフィードプログラムは、この理由により、アクティブなブラックアウトでフラグされねばならないだろう。別の実施形態では、クライアント３０２は、有効なＢＴＳの「リアルタイム」捕捉が重要ではない１つ又は複数のＢＴＳのリストを格納するだろう。
【００３０】
図４は、ここに記載されたシステムの様々な実施形態に一般に適用されるような動作を例示するフローチャートである。ステップ４０２では、複数のサービス領域が定義される。説明したように、サービス領域は、ＧＰＳ座標、クライアントがサービス領域（ＬＯＩ）にコンタクトする能力、及び／又は無線ネットワークの境界によって定義されうる。他の実施形態では、サービスエリアは、他のパラメータを使用して定義される。ステップ４０４では、特定のサービス領域へのクライアントの加入が判定される。ここでは、クライアントは、上述した様相のうちの１つを使用して、特定のサービス領域に属するかどうかを判定する。例えば、サービス領域が、１つ又は複数のＢＴＳを有する無線ネットワークによって定義されれば、クライアントは、それが通信しているＢＴＳが、加入されたＬＯＩの一部かどうかを判定する。一旦クライアントの加入が判定されると、サービス領域特有のメッセージ又はイベントが処理されうる。一実施形態では、ブラックアウト又はチューニング変更メッセージが処理される。別の実施形態では、ローミングメッセージが処理される。クライアントかＬＯＩの何れかが適切にこのメッセージを処理するかもしれない。例えば、クライアントは、自己がホームＬＯＩの外にいることを判定し、システムに通知を送ることにより、ローミングメッセージを処理し、ローミング料金を負う。反対に、システムは、クライアントがホームＬＯＩの外にいることを検知し、クライアントの使用に対してローミング料金を割り当てることにより、ローミングメッセージを処理する。
【００３１】
図５は、アクセスポイント１１０ｘ及びアクセス端末１２０ｘのブロック図を示す。逆方向リンクの場合、アクセス端末１２０ｘでは、送信（ＴＸ）データプロセッサ５１４が、データバッファ５１２からトラフィックデータを受け取り、各データパケットを、選択された符号化及び変調スキームに基づいて処理（例えば、符号化、インタリーブ、及びシンボルマップ）し、データシンボルを提供する。データシンボルは、データのための変調シンボルである。また、パイロットシンボルは、パイロットのための変調シンボルである（演繹的に知られる）。変調器５１６は、データシンボル、パイロットシンボル、そして恐らくは逆方向リンクのためのシグナリングを受け取り、変調（例えばＯＦＤＭ）及び／又はシステムによって指定される他の処理を実行し、出力チップのストリームを提供する。送信機ユニット（ＴＭＴＲ）５１８は、出力チップストリームを処理（例えば、アナログ変換、フィルタ、及び周波数アップコンバート）し、変調された信号を生成する。この信号はアンテナ５２０から送信される。
【００３２】
アクセスポイント１１０ｘでは、アクセス端末１２０ｘ、及びアクセスポイント１１０ｘと通信しているその他の端末によって送信された変調信号が、アンテナ５５２によって受信される。受信機ユニット（ＲＣＶＲ）５５４は、アンテナ５５２から得られた受信された信号を処理（例えば、調整（condition）及びデジタル化し）、受信サンプルを提供する。復調器（Ｄｅｍｏｄ）５５６は、この受信サンプルを処理（例えば、復調及び検出）し、検出されたデータシンボルを提供する。このデータシンボルは、端末によってＡＰ１１０ｘへ送信されるノイズの多いデータシンボル推定値である。受信（ＲＸ）データプロセッサ５５８は、各端末の検出されたデータを処理（例えば、シンボル逆マップ、逆インタリーブ、及び復号）し、端末のために復号データを提供する。
【００３３】
順方向リンクの場合、ＡＰ１１０ｘでは、トラフィックデータがＴＸデータプロセッサ５６０によって処理され、データシンボルが生成される。変調器５６２は、このデータシンボル、パイロットシンボル、及び順方向リンクのシグナリングを受け取り、変調（例えばＯＦＤＭ）及び／又は適切な処理を実行し、出力チップストリームを提供する。出力チップストリームは更に、送信機ユニット５６４によって調整（condition）され、アンテナ５５２から送信される。順方向リンクシグナリングは、逆方向リンクでＡＰ１１０ｘに送信する全ての端末のためにコントローラ５７０によって生成される電力制御コマンドを含みうる。ＡＴ１２０ｘでは、ＡＰ１１０ｘによって送信された変調信号が、アンテナ５２０によって受信され、受信機ユニット５２２によって調整及びデジタル化され、復調器５２４によって処理されて、検出されたデータシンボルが得られる。ＲＸデータプロセッサ５２６は、検出されたデータシンボルを処理し、順方向リンクシグナリングと、端末のための復号データを提供する。コントローラ５３０は、電力制御コマンドを受け取り、ＡＰ１１０ｘへの逆方向リンクでの送信電力及びデータ送信を制御する。コントローラ５３０，５７０は、図１から図４に関連して説明したように、例えば、最良のフィルタを判定すること、最良のフィルタに関する情報を報告すること、所望のフィルタを用いて情報を復号することのようなＡＴ１２０ｘ及びＡＰ１１０ｘそれぞれの動作を命令する。メモリユニット５３２，５７２は、コントローラ５３０，５７０によってそれぞれ使用されるデータ及びプログラムコードを格納する。
【００３４】
「アクセス端末」は、ユーザに音声及び／又はデータ接続を提供するデバイスを称する。アクセス端末は、ラップトップコンピュータ又はデスクトップコンピュータのような計算機デバイスに接続されうる。または、パーソナルデジタルアシスタントのような自律式（self contained）デバイスかもしれない。アクセス端末は、加入者ユニット、移動局、モバイル、遠隔局、遠隔端末、ユーザ端末、ユーザエージェント、あるいはユーザ機器とも呼ぶことができる。アクセス端末は、加入者局、無線デバイス、セルラー電話、ＰＣＳ電話、コードレス電話、セッション加入プロトコル（ＳＩＰ）電話、無線ローカルループ（ＷＬＬ）ステーション、パーソナルデジタルアシスタント（ＰＤＡ）、無線接続機能を有するハンドヘルドデバイス、あるいは無線モデムに接続されるその他の制御デバイスでありうる。
【００３５】
「アクセスポイント」は、１つ又は複数のセクタを介したエアインタフェースによってアクセス端末と通信するアクセスネットワーク内のデバイスを称する。アクセスポイントは、受信したエアインタフェースフレームをＩＰパケットに変換することによって、アクセス端末と、ＩＰネットワークを含むアクセスネットワークの残りとの間のルータとして動作する。アクセスポイントは、更にまた、エアインタフェースのための属性の管理を調整する。
【００３６】
開示された実施形態は、以下に示す技術のうちの任意の１つに適用されうる。符号分割多元接続（ＣＤＭＡ）システム、マルチキャリアＣＤＭＡ（ＭＣ−ＣＤＭＡ）、広帯域ＣＤＭＡ（Ｗ−ＣＤＭＡ）、高速ダウンリンクパケットアクセス（ＨＳＤＰＡ）、時分割多元接続（ＴＤＭＡ）システム、周波数分割多元接続（ＦＤＭＡ）システム、および直交周波数分割多元接続（ＯＦＤＭＡ）システム。
【００３７】
本書に記述の方法は、当該技術における通常の熟練者によって知られた様々な通信ハードウェア、プロセッサ、及びシステム上で実施されることが注目されるべきである。例えば、クライアントが、本書に記述するように動作するための一般的要件は、クライアントが、コンテンツ及び情報を表示するディスプレイと、クライアントの動作を制御するプロセッサと、クライアントの動作に関連するデータとプログラムを格納するメモリとを有することである。一実施形態では、クライアントはセルラー電話である。別の実施形態では、クライアントは、通信機能を有するハンドヘルドコンピュータである。また別の実施形態では、クライアントは、通信機能を有するパーソナルコンピュータである。ＬＯＩ内のコンピュータシステムもまた適切に構成されうる。更に、本発明の様々な実施形態を実施するために、ＧＰＳ受信機のようなハードウェアが必要に応じてクライアント内に組み込まれる。
【００３８】
記述された実施形態は、本発明の典型的な実施形態である。当該技術における熟練者は、上述した実施形態の多くの用途、及び上述した実施形態からの新たな試みを、本書に記載の発明的概念から逸脱することなく行うことができる。従って、本発明は、特許請求の範囲のスコープによってのみ規定されるべきである。
【００３９】
ここで開示された実施形態に関連して記述された種々の説明的論理ブロック、モジュール、および回路は、汎用プロセッサ、デジタル信号プロセッサ（ＤＳＰ）、アプリケーション固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００４０】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００４１】
開示された実施形態における記載は、当該技術分野におけるいかなる人であっても、本発明の活用または利用を可能とするように提供される。これらの実施形態への様々な変形例もまた、当該技術分野における熟練者に対しては明らかであって、ここで定義された一般的な原理は、本発明の主旨または範囲を逸脱せずに、例えばインスタントメッセージングサービス、又は任意の一般的な無線データ通信アプリケーション内の他の実施形態にも適用されうる。このように、本発明は、ここで示された実施形態に制限されるものではなく、ここで記載された原理と新規の特徴に一致した最も広い範囲に相当するものを意図している。用語「典型的（exemplary）」は、本書では、「例、実例、又は例示となる」ことを意味するために限定的に使用される。本書で「典型的」として記載されたあらゆる実施形態は、他の実施形態に対して好適であるとか、有利であるとか必ずしも解釈される必要は無い。
【図１】
2011138520.tif 000003
【図２】
2011138520.tif 000004
【図３】
2011138520.tif 000005
【図４】
2011138520.tif 000006
【図５】
2011138520.tif 000007
【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
セルラーネットワークマルチメディア配信システムにおいて定義された複数のサービス領域に加入したクライアントへ機能を提供する方法であって、
前記セルラーネットワークマルチメディア配信システムが、
前記セルラーネットワークマルチメディア配信システムにおける複数のサービス領域を定義し、
前記複数のサービス領域のうちの１つのサービス領域への、少なくとも１つのクライアントの加入の判定を、前記クライアントの位置を推定し、この推定された位置に基づいて行い、
前記少なくとも１つの加入に基づいて、少なくとも１つの前記サービス領域に特有のメッセージを処理し、
前記処理された特有のメッセージを、前記加入が判定されたクライアントへ送信し、
前記クライアントが、
前記特有のメッセージを受信し、タイムスタンプとともにこのメッセージを格納し、
前記メッセージに関連付けられた機能を、前記推定された位置および前記タイムスタンプに基づいて実行する
方法。
【請求項２】
請求項１に記載の方法において、前記複数のサービス領域を定義する動作は、それぞれが閉じた形状を有する複数の地理的領域を生成することを備える方法。
【請求項３】
請求項２に記載の方法において、前記閉じた形状は幾何学的形状である方法。
【請求項４】
請求項２に記載の方法において、前記加入は、ローカルブロードキャスト送信機と無線ネットワークトランシーバとのうちの１つからの受信信号の特性によって判定される方法。
【請求項５】
請求項１に記載の方法において、前記複数のサービス領域は隣接する方法。
【請求項６】
請求項１に記載の方法において、前記複数のサービス領域はオーバーラップする方法。
【請求項７】
請求項１に記載の方法において、前記複数のサービス領域のうちの１つのサービス領域への、少なくとも１つのクライアントの加入を判定する動作は、前記複数のサービス領域のうちの１つのサービス領域への、少なくとも１つのクライアントの加入を判定するために、前記クライアントのおおよその地理的位置を決定する動作を備える方法。
【請求項８】
請求項７に記載の方法において、前記クライアントの地理的位置を決定する動作は、前記クライアントのＧＰＳ座標を決定する動作を備える方法。
【請求項９】
請求項１に記載の方法において、前記少なくとも１つのサービス領域に特有のメッセージは、チューニング変更、ブラックアウト、及び利用可能な加入からなるグループから選択されるイベントを定義する少なくとも１つのメッセージを備える方法。
【請求項１０】
請求項１に記載の方法において、前記複数のサービス領域のうちの１つのサービス領域への、少なくとも１つのクライアントの加入を判定する動作は、前記クライアントと前記サービス領域とのコンタクトを判定する動作を備える方法。
【請求項１１】
請求項１０に記載の方法において、前記クライアントと前記サービス領域とのコンタクトを判定する動作は、前記クライアントと、ローカルエリア動作インフラストラクチャとの間の通信を検出する動作を備え、
前記複数のサービス領域のうちの１つは、前記ローカルエリア動作インフラストラクチャの受信地域によって規定される方法。
【請求項１２】
請求項１１に記載の方法において、前記クライアントと、ローカルエリア動作インフラストラクチャとの間の通信は、予め定めた時間期間の間に検出される方法。
【請求項１３】
請求項１に記載の方法において更に、無線ネットワークを、前記複数のサービス領域のうちの少なくとも１つに関連付ける動作を備える方法。
【請求項１４】
請求項１３に記載の方法において、前記無線ネットワークを、前記複数のサービス領域のうちの少なくとも１つに関連付ける動作は、基地トランシーバシステムのセットを、前記複数のサービス領域のうちの少なくとも１つに関連付ける動作を備える方法。
【請求項１５】
請求項１に記載の方法において、前記複数のサービス領域のうちの１つのサービス領域への、前記クライアントの加入を判定する動作は、
基地トランシーバシステムを検出することと、
前記基地トランシーバシステムが、加入されたサービス領域内の有効な基地トランシーバシステムであるかを判定することとを備える方法。
【請求項１６】
請求項１５に記載の方法において、前記基地トランシーバシステムを検出する動作は、前記基地トランシーバシステムからパイロットを検出するステップを備える方法。
【請求項１７】
格納された命令を有するコンピュータ読取可能媒体であって、前記格納された命令は、プロセッサによって実行された場合、 前記プロセッサに、セルラーネットワークマルチメディア配信システムにおいて定義された複数のサービス領域に加入したクライアントへ機能を提供するための方法を実行させ、前記方法は、
前記セルラーネットワークマルチメディア配信システムが、
前記セルラーネットワークマルチメディア配信システムにおける複数のサービス領域を受信し、
前記複数のサービス領域のうちの１つのサービス領域へのクライアントの加入を判定を、前記クライアントの位置を推定し、この推定された位置に基づいて行い、
前記加入に基づいて、前記サービス領域に特有のメッセージを処理し、
前記処理された特有のメッセージを、前記加入が判定されたクライアントへ送信し、
前記クライアントが、
前記特有のメッセージを受信し、タイムスタンプとともにこのメッセージを格納し、
前記メッセージに関連付けられた機能を、前記推定された位置および前記タイムスタンプに基づいて実行する
コンピュータ読取可能媒体。
【請求項１８】
請求項１７に記載のコンピュータ読取可能媒体において、前記複数のサービス領域を受信する動作は、それぞれが閉じた形状を有する複数の地理的領域を生成する動作を備えるコンピュータ読取可能媒体。
【請求項１９】
請求項１８に記載のコンピュータ読取可能媒体において、前記閉じた形状は幾何学的形状であるコンピュータ読取可能媒体。
【請求項２０】
請求項１７に記載のコンピュータ読取可能媒体において、前記複数のサービス領域は隣接しているコンピュータ読取可能媒体。
【請求項２１】
請求項１８に記載のコンピュータ読取可能媒体において、前記複数のサービス領域はオーバーラップするコンピュータ読取可能媒体。
【請求項２２】
請求項１７に記載のコンピュータ読取可能媒体において、前記複数のサービス領域のうちの１つのサービス領域への、前記クライアントの加入を判定する動作は、前記複数のサービス領域のうちの１つのサービス領域への、前記クライアントの加入を判定するために、前記クライアントの地理的位置を決定する動作を備えるコンピュータ読取可能媒体。
【請求項２３】
請求項２２に記載のコンピュータ読取可能媒体において、前記クライアントの地理的位置を決定する動作は、前記クライアントのＧＰＳ座標を決定する動作を備えるコンピュータ読取可能媒体。
【請求項２４】
請求項１７に記載のコンピュータ読取可能媒体において、前記サービス領域に特有のメッセージは、ローミングメッセージ、チューニング変更メッセージ、及びブラックアウトメッセージからなるグループから選択される１つのメッセージを備えるコンピュータ読取可能媒体。
【請求項２５】
請求項１７に記載のコンピュータ読取可能媒体において、前記複数のサービス領域のうちの１つのサービス領域への、前記クライアントの加入を判定する動作は、前記クライアントと前記サービス領域とのコンタクトを判定する動作を備えるコンピュータ読取可能媒体。
【請求項２６】
請求項２５に記載のコンピュータ読取可能媒体において、前記クライアントと前記サービス領域とのコンタクトを判定する動作は、前記クライアントと、ローカルエリア動作インフラストラクチャとの通信を検出する動作を備え、
前記複数のサービス領域のうちの１つは、前記ローカルエリア動作インフラストラクチャの受信地域によって規定されるコンピュータ読取可能媒体。
【請求項２７】
請求項２６に記載のコンピュータ読取可能媒体において、前記クライアントと、ローカルエリア動作インフラストラクチャとの間の通信は、予め定めた時間期間の間に検出されるコンピュータ読取可能媒体。
【請求項２８】
請求項１７に記載のコンピュータ読取可能媒体において、前記方法は更に、無線ネットワークを、前記複数のサービス領域のうちの少なくとも１つに関連付けることを備えるコンピュータ読取可能媒体。
【請求項２９】
請求項２８に記載のコンピュータ読取可能媒体において、前記無線ネットワークを、前記複数のサービス領域のうちの少なくとも１つに関連付ける動作は、基地トランシーバシステムのセットを、前記複数のサービス領域のうちの少なくとも１つに関連付ける動作を備えるコンピュータ読取可能媒体。
【請求項３０】
請求項１７に記載のコンピュータ読取可能媒体において、前記複数のサービス領域のうちの１つのサービス領域への、前記クライアントの加入を判定する動作は、
基地トランシーバシステムを検出することと、
前記基地トランシーバシステムが、加入されたサービス領域内の有効な基地トランシーバシステムであるかを判定することとを備えるコンピュータ読取可能媒体。
【請求項３１】
請求項３０に記載のコンピュータ読取可能媒体において、前記基地トランシーバシステムを検出する動作は、前記基地トランシーバシステムからパイロットを検出する動作を備えるコンピュータ読取可能媒体。
【請求項３２】
セルラーネットワークマルチメディア配信システムにおいて定義された複数のサービス領域に加入したクライアントへ機能を提供する装置であって、
前記セルラーネットワークマルチメディア配信システムにおける複数のサービス領域を受信する手段と、
前記複数のサービス領域のうちの１つのサービス領域への、クライアントの加入の判定を、前記クライアントの位置を推定し、この推定された位置に基づいて行う手段と、
前記加入に基づいて、前記サービス領域に特有のメッセージを処理する手段と、
前記処理された特有のメッセージを、前記加入が判定されたクライアントへ送信する手段とを備え、
前記クライアントでは、前記特有のメッセージが受信され、タイムスタンプとともに格納されることによって、前記メッセージに関連付けられた機能が、前記推定された位置および前記タイムスタンプに基づいて実行されるようにした装置。
【請求項３３】
請求項３２に記載の装置において、前記複数のサービス領域を受信する手段は、それぞれが閉じた形状を有する複数の地理的領域を生成する手段を備える装置。
【請求項３４】
請求項３３に記載の装置において、前記閉じた形状は幾何学的形状である装置。
【請求項３５】
請求項３２に記載の装置において、前記複数のサービス領域は隣接する装置。
【請求項３６】
請求項３２に記載の装置において、前記複数のサービス領域はオーバーラップする装置。
【請求項３７】
請求項３２に記載の装置において、前記複数のサービス領域のうちの１つのサービス領域への、前記クライアントの加入を判定する手段は、前記複数のサービス領域のうちの１つのサービス領域への、前記クライアントの加入を判定するために、前記クライアントの地理的位置を決定する手段を備える装置。
【請求項３８】
請求項３７に記載の装置において、前記クライアントの地理的位置を決定する手段は、前記クライアントのＧＰＳ座標を決定する手段を備える装置。
【請求項３９】
請求項３２に記載の装置において、前記サービス領域に特有のメッセージは、ローミングメッセージ、チューニング変更メッセージ、及びブラックアウトメッセージからなるグループから選択される１つのメッセージを備える装置。
【請求項４０】
請求項３２に記載の装置において、前記複数のサービス領域のうちの１つのサービス領域への、前記クライアントの加入を判定する手段は、前記クライアントと前記サービス領域とのコンタクトを判定する手段を備える装置。
【請求項４１】
請求項４０に記載の装置において、前記クライアントと前記サービス領域とのコンタクトを判定する手段は、前記クライアントと、ローカルエリア動作インフラストラクチャとの間の通信を検出する手段を備え、
前記複数のサービス領域のうちの１つは、前記ローカルエリア動作インフラストラクチャの受信地域によって規定される装置。
【請求項４２】
請求項４１に記載の装置において、前記クライアントと、ローカルエリア動作インフラストラクチャとの間の通信は、予め定めた時間期間の間に検出される装置。
【請求項４３】
請求項３２に記載の装置において、無線ネットワークを、前記複数のサービス領域のうちの少なくとも１つに関連付ける手段を更に備えた装置。
【請求項４４】
請求項４３に記載の装置において、前記無線ネットワークを、前記複数のサービス領域のうちの少なくとも１つに関連付ける手段は、基地トランシーバシステムのセットを、前記複数のサービス領域のうちの少なくとも１つに関連付ける手段を備える装置。
【請求項４５】
請求項３２に記載の装置において、前記複数のサービス領域のうちの１つのサービス領域への、前記クライアントの加入を判定する手段は、
基地トランシーバシステムを検出する手段と、
前記基地トランシーバシステムが、加入されたサービス領域内の有効な基地トランシーバシステムであるかを判定する手段とを備える装置。
【請求項４６】
請求項４５に記載の装置において、前記基地トランシーバシステムを検出する手段は、前記基地トランシーバシステムからパイロットを検出する手段を備える装置。
【請求項４７】
セルラーネットワークマルチメディア配信システムにおいて定義された複数のサービス領域に加入したクライアントへ機能を提供する方法を実施するように構成された少なくとも１つのプロセッサであって、前記方法は、
前記セルラーネットワークマルチメディア配信システムが、
前記セルラーネットワークマルチメディア配信システムにおける複数のサービス領域を定義し、
前記複数のサービス領域のうちの１つのサービス領域への、少なくとも１つのクライアントの加入の判定を、前記クライアントの位置を推定し、この推定された位置に基づいて行い、
前記少なくとも１つの加入に基づいて、少なくとも１つの前記サービス領域に特有のメッセージを処理し、
前記処理された特有のメッセージを、前記加入が判定されたクライアントへ送信し、
前記クライアントが、
前記特有のメッセージを受信し、タイムスタンプとともにこのメッセージを格納し、
前記メッセージに関連付けられた機能を、前記推定された位置および前記タイムスタンプに基づいて実行する
少なくとも１つのプロセッサ。
【外国語明細書】
2011138520000001.pdf